(57)【特許請求の範囲】
【請求項１】
制御システムであって、
移動可能な第１の蓄電装置と、
宅内に配置された電気機器に対する前記第１の蓄電装置の放電を制御可能な制御装置と、
前記制御装置と通信可能なサーバとを備え、
前記サーバは、
前記制御装置の設置された位置を含むエリアに対する気象情報と、前記第１の蓄電装置の位置に関する情報とを他の装置から取得し、
前記気象情報を前記制御装置に送信する場合であって、取得した前記第１の蓄電装置の位置に関する情報から前記第１の蓄電装置が前記エリア外に位置すると判断した場合に、前記第１の蓄電装置の充電を促す情報を前記第１の蓄電装置に関連付けられた装置に送信する、制御システム。
【請求項２】
固定設置された第２の蓄電装置をさらに備え、
前記制御装置は、さらに、宅内に配置された電気機器に対する前記第２の蓄電装置の放電を制御し、
前記サーバは、
前記第２の蓄電装置の蓄電量の情報を前記制御装置からさらに取得し、
取得した前記第２の蓄電装置の蓄電量の情報に応じて前記第１の蓄電装置の充電を促す情報を変更する、請求項１記載の制御システム。
【請求項３】
前記サーバは、一定期間における前記宅内に配置された電気機器の消費電力量を予想し、
前記予想した消費電力量に応じて前記第１の蓄電装置の充電を促す情報を変更する、請求項１記載の制御システム。
【請求項４】
移動可能な蓄電装置の位置に関する情報と、宅内に配置された電気機器に対する前記蓄電装置の放電を制御可能な制御装置の設置された位置を含むエリアに対する気象情報とを他の装置から取得し、
前記気象情報を前記制御装置に送信する場合であって、取得した前記蓄電装置の位置に関する情報から前記蓄電装置が前記エリア外に位置すると判断した場合に、前記蓄電装置の充電を促す情報を前記蓄電装置に関連付けられた装置に送信する、サーバ。
【請求項５】
移動可能な蓄電装置と、
宅内に配置された電気機器に対する前記蓄電装置の放電を制御可能な制御装置と、
前記制御装置と通信可能なサーバとを含む制御システムにおけるサーバの制御方法であって、
前記制御装置の設置された位置を含むエリアに対する気象情報と、前記蓄電装置の位置に関する情報とを他の装置から取得し、
前記気象情報を前記制御装置に送信する場合であって、取得した前記蓄電装置の位置に関する情報から前記蓄電装置が前記エリア外に位置すると判断した場合に、前記蓄電装置の充電を促す情報を前記蓄電装置に関連付けられた装置に送信する、制御方法。
【発明の詳細な説明】
【技術分野】
【０００１】
この開示は制御システム、サーバ、および制御方法に関し、特に、気象情報に基づいて家庭内等の電気機器の電力管理を行なう制御システム、サーバ、および制御方法に関する。
【背景技術】
【０００２】
エアコン、照明、および給湯器などの、家庭内やオフィスなどに配置されている様々な電気機器と蓄電装置とを接続した電力システムが知られている。蓄電装置の中には、車両や自転車などの移動体に搭載可能であったりユーザが持ち運び可能な蓄電池を含むものがある。該電力システムでは、電力需要の少ない時間帯や電力料金が安い時間帯に蓄電装置に蓄電し、電力需要の高まる時間帯や電力料金が高い時間帯に蓄電装置の電力を電気機器に供給（放電）する制御が行なわれる。これにより、電力需要の平準化や電力料金の抑制を図るものである。
【先行技術文献】
【特許文献】
【０００３】
【特許文献１】特開２０１３−９４８８号公報
【特許文献２】特開２００８−２１７４３８号公報
【発明の概要】
【発明が解決しようとする課題】
【０００４】
このような電力システムは、停電の発生時に蓄電装置に蓄積されている電力を各電気機器に提供することによって、停電時にも電気機器の稼働を可能とする。そのため、停電の発生の可能性がある場合には、事前に蓄電量を増加させておくことが望まれる。
【０００５】
たとえば特開２０１３−９４８８号公報は、サーバから災害を予測する情報を取得すると、車両に搭載された蓄電池が接続されている場合には自動的に当該蓄電池を充電するシステムを開示している。しかしながら、この技術では、移動可能な蓄電池が該システムの設置された自宅等にない場合には、該蓄電池への充電が実現されない。
【０００６】
また、特開２００８−２１７４３８号公報は、緊急地震速報に基づく信号を受信すると、予め登録された通知先に安否確認通知情報を送信することで、外出先のユーザに緊急地震速報を通知可能なシステムを開示している。しかしながら、この技術では、移動可能な蓄電池と共にいるユーザに対しても緊急地震速報が通知されるのみであるため、当該ユーザが移動可能な蓄電池に充電する契機にはならない場合がある。
【０００７】
本開示のある局面における目的は、電気機器に接続可能であって移動可能な蓄電池への充電を効果的に促すことのできる制御システムを提供することである。また、本開示のある局面における目的は、電気機器に接続可能であって移動可能な蓄電池への充電を効果的に促すことのできるサーバを提供することである。また、本開示のある局面における目的は、電気機器に接続可能であって移動可能な蓄電池への充電を効果的に促すことのできる制御方法を提供することである。
【課題を解決するための手段】
【０００８】
ある実施の形態に従うと、制御システムは、移動可能な第１の蓄電装置と、宅内に配置された電気機器に対する第１の蓄電装置の放電を制御可能な制御装置と、制御装置と通信可能なサーバとを備える。サーバは、制御装置の設置された位置を含むエリアに対する気象情報と、第１の蓄電装置の位置に関する情報とを他の装置から取得し、気象情報を制御装置に送信する場合であって、取得した第１の蓄電装置の位置に関する情報から第１の蓄電装置がエリア外に位置すると判断した場合に、第１の蓄電装置の充電を促す情報を制御装置に送信する。
【０００９】
他の実施の形態に従うと、サーバは、移動可能な蓄電装置の位置に関する情報と、宅内に配置された電気機器に対する蓄電装置の放電を制御可能な制御装置の設置された位置を含むエリアに対する気象情報とを他の装置から取得し、気象情報を制御装置に送信する場合であって、取得した蓄電装置の位置に関する情報から蓄電装置がエリア外に位置すると判断した場合に、蓄電装置の充電を促す情報を制御装置に送信する。
【００１０】
他の実施の形態に従うと、制御方法は、移動可能な蓄電装置と、宅内に配置された電気機器に対する蓄電装置の放電を制御可能な制御装置と、制御装置と通信可能なサーバとを含む制御システムにおけるサーバの制御方法である。この方法は、制御装置の設置された位置を含むエリアに対する気象情報と、蓄電装置の位置に関する情報とを制御装置から取得し、気象情報を制御装置に送信する場合であって、取得した蓄電装置の位置に関する情報から蓄電装置が前記エリア外に位置すると判断した場合に、蓄電装置の充電を促す情報を送信する。
【発明の効果】
【００１１】
この開示によると、電気機器に接続可能であって移動可能な蓄電池を含む制御システムにおいて、該蓄電池への充電を効果的に促すことができる。
【図面の簡単な説明】
【００１２】
【図１】実施の形態にかかる制御システムの構成の具体例を示す図である。
【図２】制御システムに含まれる制御装置の装置構成の概略の一例を示すブロック図である。
【図３】制御システムに含まれるサーバの装置構成の概略の一例を示すブロック図である。
【図４】サーバのメモリに記憶されている、蓄電装置と通信装置との関係の一例を表わした図である。
【図５】制御システムの動作の流れを表わした図である。
【図６】通信装置に表示されるメッセージの一例を表わした図である。
【図７】サーバの機能構成の一例を表わしたブロック図である。
【図８】サーバの動作の流れを表わしたフローチャートである。
【発明を実施するための形態】
【００１３】
以下に、図面を参照しつつ、本発明の実施の形態について説明する。以下の説明では、同一の部品および構成要素には同一の符号を付してある。それらの名称および機能も同じである。したがって、これらの説明は繰り返さない。
【００１４】
［第１の実施の形態］
＜システム構成＞
図１は、本実施の形態にかかる制御システムの構成の具体例を示す図である。図１を参照して、制御システムは、家庭内やオフィス内のエアコン４００Ａおよび給湯器４００Ｂなどの電気機器に電力を供給可能な、蓄電池（図示せず）を含む蓄電装置３００Ａに接続された制御装置１００と、制御装置１００とインターネットなどを介して通信可能なサーバ２００とを含む。エアコン４００Ａおよび給湯器４００Ｂなどの１台以上の電気機器を代表して、電気機器４００ともいう。
【００１５】
制御装置１００は、ＨＥＭＳコントローラとも呼ばれる。ＨＥＭＳコントローラとは、住宅向けの電力使用量の可視化、節電（二酸化炭素排出量の削減）のための機器制御、ソーラー発電機等の再生可能エネルギーや蓄電器の制御等を行なうエネルギー監理システム（ＨＥＭＳ）に用いられるコントローラである。
【００１６】
サーバ２００は、各家庭の電力状況を管理するためのサーバ２００Ａ、気象情報を提供するためのサーバ２００Ｂ、および後述する通信装置５００Ｂの位置情報を提供するためのサーバ（図示せず）など、後述する処理をそれぞれが分担し協働して行なう複数のサーバからなるものであってもよいし、１台のサーバからなるものであってもよい。サーバ２００は、一般的なコンピュータで構成されるものであってもよい。サーバ２００は、インターネットなどを介して、スマートフォンやタブレットなどの端末装置５００Ａからアクセスが可能である。
【００１７】
制御装置１００は、蓄電装置３００Ａと通信可能に接続されている。制御装置１００は、蓄電装置３００Ａに制御信号を出力する。これにより、制御装置１００は、蓄電装置３００Ａでの充電および電気機器４００への電力供給（放電）を制御する。制御装置１００による蓄電装置３００Ａでの充電および電気機器４００への電力供給（放電）の制御を、充放電制御ともいう。さらに、制御装置１００は、蓄電装置３００Ａに問い合わせることで、蓄電装置３００Ａから蓄電装置３００Ａの蓄電量を取得する。
【００１８】
制御装置１００は、さらに、蓄電装置３００Ｂと通信可能である。蓄電装置３００Ｂは移動可能な蓄電池（図示せず）を含み、たとえば車両や自転車などの移動体に搭載されたりユーザに携帯されるなどして移動可能である。蓄電装置３００Ｂは電気機器４００と接続可能であって、制御装置１００からの制御信号に従って電気機器４００に電力を供給可能である。
【００１９】
蓄電装置３００Ｂは、ユーザ操作を受け付けることによって、または、他の装置からの制御信号の入力を受け付けることによって充電が制御される。蓄電装置３００Ｂの充放電制御が、制御装置１００からの制御信号によって行なわれてもよい。
【００２０】
制御装置１００は、さらに、１台以上の電気機器４００それぞれと通信可能に接続されている。制御装置１００は、１台以上の電気機器４００それぞれから電気の消費量を示す信号を受信することで、各電気機器４００での電力消費量を取得する。また、制御装置１００は、電気機器４００それぞれから稼働予定を表わす信号を受信することで、各電気機器４００での予定消費電力量を取得する。稼働予定は、たとえば、録画予約やエアコンの運転予約などである。また、制御装置１００は、電気機器４００それぞれに制御信号を出力する。制御信号は、電気機器４００の運転量を指示するものである。たとえば、制御信号は、温度設定や、風量設定などを電気機器４００に指示するものである。これにより、制御装置１００は、電気機器４００の稼働を制御する。
【００２１】
制御装置１００は、インターネットなどを介してサーバ２００と通信可能に接続されている。制御装置１００は、１台以上の電気機器４００それぞれの電気の使用量をサーバ２００に送信する。また、制御装置１００は、蓄電装置３００Ａ，３００Ｂの蓄電量をサーバ２００に送信する。サーバ２００は、制御装置１００から電気機器４００の電気の使用量や蓄電装置３００Ａ，３００Ｂの蓄電量を受信して、各家庭での電力状況を管理する。また、制御装置１００は、サーバ２００に問い合わせることで、サーバ２００から気象情報を取得する。
【００２２】
サーバ２００は、端末装置５００Ａからインターネットなどを介したアクセスを受け付ける。サーバ２００は、たとえばログインに成功した端末装置５００Ａのみからのアクセスを受け付ける。サーバ２００は、端末装置５００Ａからの要求に応じて、端末装置５００Ａのユーザに関連付けて記憶している家庭の電力状況を表示するための画面情報を端末装置５００Ａに提供する。また、サーバ２００は、端末装置５００Ａからの要求に応じて、端末装置５００Ａのユーザに関連付けて記憶している家庭の電気機器４００や蓄電装置３００Ａ，３００Ｂへの設定を受け付ける画面を表示するための画面情報を端末装置５００Ａに提供する。サーバ２００は、端末装置５００Ａから当該画面に対して入力された各種設定を受け付けると、当該設定に基づいた情報を制御装置１００に出力する。制御装置１００は、サーバ２００からの情報に基づいて電気機器４００や蓄電装置３００Ａ，３００Ｂの制御を行なってもよい。
【００２３】
サーバ２００は、蓄電装置３００Ｂに関連した通信装置５００Ｂを予め記憶している。蓄電装置３００Ｂに関連した通信装置５００Ｂは、たとえば、蓄電装置３００Ｂを搭載した移動体のユーザの携帯する端末装置や、該移動体に搭載されている移動ナビゲーション装置等の通信装置などである。サーバ２００は、インターネットなどを介して通信装置５００Ｂと通信可能である。
【００２４】
＜装置構成＞
図２は、制御装置１００の装置構成の概略の一例を示すブロック図である。図２を参照して、制御装置１００は、装置全体を制御するためのＣＰＵ（Central  Processing  Unit）１０と、メモリ１３とを含む。メモリ１３は、一例として、ＣＰＵ１０で実行されるプログラムを記憶するためのＲＯＭ（Read  Only  Memory）１１と、電気機器の状態情報などの各種データを記憶したりＣＰＵ１０でプログラムを実行する際の作業領域となったりするためのＲＡＭ（Random  Access  Memory）１２とを含む。
【００２５】
制御装置１００は、出力部としてのＬＥＤ（Light  Emitting  Diode）１４や、スイッチなどの操作部１５を含んでもよい。
【００２６】
さらに、制御装置１００は、電気機器４００、サーバ２００、および蓄電装置３００Ａ，３００Ｂと通信するための通信部１６を含む。
【００２７】
図３は、サーバ２００の装置構成の概略の一例を示すブロック図である。サーバ２００は一般的なコンピュータで構成されるものであってよい。そのため、図３は一般的なコンピュータの概略構成を表わしている。
【００２８】
図３を参照して、サーバ２００は、装置全体を制御するためのＣＰＵ２０と、メモリ２４と、インターネットを介した通信を行なうための通信部２５とを含む。メモリ２４は、一例として、ＣＰＵ２０で実行されるプログラムを記憶するためのＲＯＭ２１と、ＣＰＵ２０でプログラムを実行する際の作業領域となったり計算値を記憶したりするためのＲＡＭ２２と、各種情報を記憶するためのＨＤＤ（Hard  Disk  Drive）２３とを含む。
【００２９】
サーバ２００の構成は図３の構成に限定されるものではない。たとえば、サーバ２００は、ユーザの操作入力を受け付けるための操作部やディスプレイをさらに含んでもよい。また、図１で例示されたように、サーバ２００が複数の装置から構成されるものである場合、各サーバは、他の装置と通信するための通信装置をさらに含んでもよい。
【００３０】
＜動作概要＞
本実施の形態にかかる制御システムは、サーバ２００から送信される気象情報に基づいて蓄電装置３００Ａ，３００Ｂの充放電制御を実行する。気象情報は、たとえば気象庁の発表する気象情報であり、大雨、暴風などのカテゴリごとに特別警報、警報、および注意報などの種類が設定されている。サーバ２００は、気象庁の発表する気象情報を提供するサーバを含み、または、該サーバから気象情報を取得可能なサーバを含む。
【００３１】
本制御システムに含まれる制御装置１００は、予め規定された種類の気象情報が発令されていない期間は、通常の充放電制御を実行する。通常の充放電制御は、たとえば、夜間などの電力料金が安い時間帯に充電し、昼間などの電力料金が高い時間帯に電気機器４００に電力供給（放電）するように蓄電装置３００Ａを制御するものである。また、通常の充放電制御は、たとえば、夜間などの電気機器４００からの電力需要の少ない時間帯に充電し、昼間などの電気機器４００からの電力需要の高まる時間帯に電気機器４００に電力供給（放電）するように蓄電装置３００Ａを制御するものである。
【００３２】
通常の充放電制御を実行し、電気機器４００に電力供給（放電）するように蓄電装置３００Ａを制御している期間に、予め規定された種類の気象情報をサーバ２００から取得することで、制御装置１００は、気象情報対応制御に切り替える。気象情報対応制御とは、蓄電池を満充電になるように充電を開始し、満充電になるとその状態を維持する制御である。気象情報対応制御中に停電が発生した場合には、放電が開始される。上記の予め規定された種類の気象情報は、停電の可能性のある気象情報であって、たとえば大雨警報や暴風警報などが該当する。このような場合に蓄電装置３００Ａに充電しておくことで、停電が発生時にも電気機器の稼働が可能になる。当該気象情報が解除された場合に、制御装置１００は、気象情報対応制御を終了して通常の充放電制御、つまり電気機器４００に電力供給（放電）する制御に切り替える。これにより、放電を抑えて蓄電量を増加させる制御が必要以上に長期間、継続することを避けることができる。
【００３３】
さらに、制御装置１００は、上記の予め規定された種類の気象情報をサーバ２００から取得すると、蓄電装置３００Ｂに対しても気象情報対応制御を行なってもよい。このようにすることで、停電時により多くの電力を確保することが可能になる。
【００３４】
しかしながら、蓄電装置３００Ｂに対する気象情報対応制御が実現されるのは、移動可能な蓄電池を含む蓄電装置３００Ｂが制御装置１００と通信可能な範囲にある場合に限られる。上記したように、蓄電装置３００Ｂはたとえば車両や自転車などの移動体に搭載されたりユーザに携帯されるなどして移動可能であるため、たとえば外出中など、制御装置１００と通信可能な範囲にない場合には制御装置１００は蓄電装置３００Ｂに対して気象情報対応制御を行なうことができない。その場合、ユーザ操作や他の装置からの制御信号の入力に従って蓄電装置３００Ｂが充電されることが望まれる。蓄電装置３００Ｂを搭載した移動体が帰宅して本制御システムに蓄電装置３００Ｂが接続されることで、停電時により多くの電力が確保されるためである。
【００３５】
そこで、第１の実施の形態にかかる制御システムでは、予め規定された種類の気象情報がサーバ２００から配信されたときに外出中などによって蓄電装置３００Ｂが制御装置１００と通信可能な範囲にない場合に、サーバ２００は、外出先の蓄電装置３００Ｂ近傍のユーザに対して蓄電装置３００Ｂへの充電を促すメッセージを送信する。
【００３６】
図４は、サーバ２００のメモリ２４に記憶されている、蓄電装置と通信装置との関係の一例を表わした図である。図４を参照して、サーバ２００は、蓄電装置ごとに、少なくとも１つの通信装置に対するアクセス情報（たとえばメールアドレスなど）を、上記メッセージの通知先として記憶している。図４に表わされたように、サーバ２００は、２つの蓄電装置に対して複数の通信装置それぞれに対するアクセス情報を記憶していてもよい。この場合、サーバ２００は、上記メッセージを複数の通信装置それぞれに送信してもよいし、複数の通信装置に付加された優先順位に従って規定された数の通信装置に送信してもよい。
【００３７】
さらに、本制御システムには移動可能な蓄電池を搭載した蓄電装置が複数含まれてもよい。その場合、図４に表わされたように、サーバ２００は、複数の蓄電装置それぞれについて通信装置に対するアクセス情報を通知先として記憶している。
【００３８】
図５は、本制御システムの動作の流れを表わした図である。図５を参照して、サーバ２００は、気象情報を提供するサーバなどの他の装置から気象情報を取得する（ステップＳ１）。サーバ２００は、取得した気象情報を制御装置１００に送信する（ステップＳ２）。ステップＳ２は、サーバ２００が新たな気象情報を取得したタイミングや、制御装置１００から要求されたタイミングなどに行なわれる。
【００３９】
サーバ２００は、通信装置を管理するサーバなどの他のサーバから、蓄電装置３００Ｂの位置情報に相当する、蓄電装置３００Ｂに関連付けられている通信装置５００Ｂの位置情報を取得する（ステップＳ３）。ステップＳ３は、サーバ２００が新たな気象情報を取得したタイミングにサーバ２００が要求することによって行なわれてもよいし、上記他の装置によって所定間隔などの予め規定されたタイミングで自動的に行なわれてもよい。位置情報が他のサーバから自動的に送信されてくる場合、サーバ２００は、取得した位置情報を通信装置５００Ｂの位置情報としてメモリに記憶しておく。サーバ２００は、気象情報を制御装置１００に送信するタイミングにおける蓄電装置３００Ｂの位置を表わした位置情報に基づいて、蓄電装置３００Ｂが制御装置１００と通信可能な範囲にあるか否か、つまり、蓄電装置３００Ｂを搭載した移動体が外出中ではないか否かを判断する（ステップＳ４）。
【００４０】
蓄電装置３００Ｂが制御装置１００と通信可能な範囲にない場合、サーバ２００は、記憶している図４の関係を参照して、蓄電装置３００Ｂへの充電を促すためのメッセージの送信先を決定する（ステップＳ５）。そして、サーバ２００は、メッセージの送信先として決定された通信装置５００Ｂに、蓄電装置３００Ｂへの充電を促すためのメッセージを送信する（ステップＳ７）。
【００４１】
図６（Ａ）は、通信装置５００Ｂに表示されるメッセージの一例を表わした図である。通信装置５００Ｂが、たとえば蓄電装置３００Ｂを搭載した移動体に同乗しているユーザのタブレット端末である場合、同乗しているユーザの携帯するタブレット端末に、「大雨注意報が発令されました。帰宅時にはフル充電して下さい。」というメッセージが表示される。これによって、蓄電装置３００Ｂへの充電が促される。
【００４２】
好ましくは、サーバ２００は、予め記憶している複数のメッセージの中から、通信装置５００Ｂに送信するメッセージを決定する（ステップＳ６）。一例として、サーバ２００は、ステップＳ６で、上記ステップＳ１で送信した気象情報に基づいて送信するメッセージを決定する。たとえば、サーバ２００は、気象情報ごとにランクを予め付与しておき、当該ランクに対応したメッセージを送信するメッセージとして決定する。たとえば、気象情報が特別警報の発令を表わすものの場合、充電の必要性がより高いと言える。そのため、サーバ２００は、特別警報のような緊急度の高い気象情報は高いランクに対応付けておき、送信する気象情報のランクが高い場合、たとえば図６（Ｂ）に表わされたような、充電をより強く促すメッセージを送信するメッセージと決定する。
【００４３】
他の例として、サーバ２００は、蓄電装置３００Ａの現在の蓄電量を制御装置１００から取得する。そして、サーバ２００は、ステップＳ５で、蓄電装置３００Ａの蓄電量に基づいて通信装置５００Ｂに送信するメッセージを決定してもよい。たとえば、サーバ２００は、蓄電装置３００Ａの蓄電量や、蓄電量の割合ごとにランクを予め付与しておき、当該ランクに対応したメッセージを送信するメッセージとして決定する。たとえば、蓄電装置３００Ａの蓄電量または蓄電量の割合が少ない場合、充電の必要性がより高いと言える。そのため、サーバ２００は、しきい値よりも少ない蓄電量または蓄電量の割合は高いランクに対応付けておき、蓄電量または蓄電量の割合のランクが高い場合、充電をより強く促すメッセージを送信するメッセージと決定する。
【００４４】
他の例として、サーバ２００は、蓄電装置３００Ａの蓄電量と、電気機器４００の、予め規定された期間における予定消費電力量とを制御装置１００から取得する。好ましくは、制御装置１００は、電気機器４００それぞれの稼働予定に基づいて、予め規定された期間における電気機器４００それぞれの予定消費電力量を取得する。そして、制御装置１００は、取得した電気機器４００それぞれの予定消費電力量をサーバ２００に通知する。サーバ２００は、ステップＳ６で、蓄電装置３００Ａの蓄電量と各電気機器４００での予定消費電力量とに基づいて通信装置５００Ｂに送信するメッセージを決定してもよい。たとえば、サーバ２００は、蓄電装置３００Ａの蓄電量と電気機器４００での予定消費電力量とを比較する。蓄電装置３００Ａの蓄電量が電気機器４００での予定消費電力量を下回っている場合、または、電気機器４００での予定消費電力量の蓄電装置３００Ａの蓄電量に対する割合がしきい値よりも大きい場合、充電の必要性がより高いと言える。そのため、サーバ２００は、蓄電装置３００Ａの蓄電量が電気機器４００での予定消費電力量を下回っている場合や電気機器４００での予定消費電力量の蓄電装置３００Ａの蓄電量に対する割合がしきい値よりも大きい場合を高いランクに対応付けておき、蓄電装置３００Ａの蓄電量と各電気機器４００での予定消費電力量との関係のランクが高い場合、たとえば図６（Ｃ）に表わされたような、予定している電気機器４００の使用が難しくなる可能性も併せて通知して充電をより強く促すメッセージを、送信するメッセージと決定する。
【００４５】
＜機能構成＞
図７は、上記動作を行なうためのサーバ２００の機能構成の一例を表わしたブロック図である。図７の各機能は、サーバ２００のＣＰＵ２０がＲＯＭ２１に記憶されているプログラムをＲＡＭ２２上に読み出して実行することで、主に、ＣＰＵ２０で実現される。しかしながら、少なくとも一部の機能が図３に表わされた他のハードウェア、または電気回路などの図示されていない他のハードウェアによって実現されてもよい。
【００４６】
図７を参照して、サーバ２００のＣＰＵ２０は、気象情報送信部２０１と、取得部２０２と、判断部２０６と、送信先決定部２０３と、メッセージ送信部２０４とを含む。
【００４７】
気象情報送信部２０１は、制御装置１００に気象情報を送信する。サーバ２００は、他のサーバから受信するなどして気象情報を取得し、メモリ２４の記憶領域である気象情報記憶部２４１に記憶しておく。気象情報送信部２０１は、気象情報記憶部２４１に新たな気象情報が書き込まれたタイミングや制御装置１００から要求されたタイミングなどに、気象情報を制御装置１００に送信する。
【００４８】
取得部２０２は、通信装置を管理するサーバなどの他のサーバから、蓄電装置３００Ｂの位置情報に相当する、蓄電装置３００Ｂに関連付けられている通信装置５００Ｂの位置情報を取得する。判断部２０６は、通信装置５００Ｂの位置情報に基づいて、蓄電装置３００Ｂが予め規定された範囲である、制御装置１００と通信可能な範囲にあるか否かを判断する。
【００４９】
メモリ２４の記憶領域である送信先記憶部２４２は、図４に示された、蓄電装置３００Ｂに関連付けられた通知先としてメッセージの送信先を記憶している。送信先決定部２０３は、気象情報送信部２０１によって気象情報を制御装置１００に送信するタイミングに蓄電装置３００Ｂが制御装置１００と通信可能な範囲にない場合に、図４の関係を参照して、メッセージの送信先を決定する。
【００５０】
メッセージ送信部２０４は、気象情報送信部２０１によって気象情報を制御装置１００に送信するタイミングに蓄電装置３００Ｂが制御装置１００と通信可能な範囲にない場合に、送信先決定部２０３によって決定された送信先に蓄電装置３００Ｂへの充電を促すためのメッセージを送信する。
【００５１】
好ましくは、ＣＰＵ２０は、さらにメッセージ決定部２０５を含む。メモリ２４の記憶領域であるメッセージ記憶部２４３は、複数のメッセージを記憶している。複数のメッセージは、たとえば、蓄電装置３００Ｂへの充電の必要度合いの異なるメッセージである。
【００５２】
メッセージ決定部２０５は、たとえば、気象情報送信部２０１によって制御装置１００に送信した気象情報に基づいて、上記複数のメッセージの中から送信するメッセージを決定する。また、取得部２０２が、制御装置１００からさらに蓄電装置３００Ａの蓄電量を取得する場合、メッセージ決定部２０５は、蓄電装置３００Ａの蓄電量に基づいてメッセージを決定する。また、取得部２０２が、制御装置１００からさらに電気機器４００それぞれの予定消費電力量を取得する場合、メッセージ決定部２０５は、蓄電装置３００Ａの蓄電量と電気機器４００それぞれの予定消費電力量とに基づいてメッセージを決定する。
【００５３】
＜動作フロー＞
図８は、サーバ２００の動作の流れを表わしたフローチャートである。図８のフローチャートに表わされた動作は、サーバ２００のＣＰＵ２０がＲＯＭ２１に記憶されているプログラムをＲＡＭ２２上に読み出して実行し、図７の各機能を発揮することによって実現される。
【００５４】
図８を参照して、サーバ２００のＣＰＵ２０は、制御装置１００に気象情報を送信するタイミングに達すると（ステップＳ１０１でＹＥＳ）、メモリ２４から気象情報を読み出して（ステップＳ１０３）、制御装置１００に送信する（ステップＳ１０５）。
【００５５】
次に、ＣＰＵ２０は、気象情報を制御装置１００に送信するタイミングにおける蓄電装置３００Ｂの位置情報を取得する（ステップＳ１０６）。ＣＰＵ２０は、蓄電装置３００Ｂの位置情報に相当する通信装置５００Ｂの位置情報を、上記ステップＳ１０５のタイミングで通信装置５００Ｂの位置情報を提供する他のサーバに要求して取得してもよい。または、ＣＰＵ２０は、上記ステップＳ１０５のタイミングで、メモリに記憶している、蓄電装置３００Ｂの位置情報に相当する通信装置５００Ｂの位置情報を読み出してもよい。
【００５６】
蓄電装置３００Ｂが制御装置１００と通信可能な範囲にない場合（図８のフローチャートでは「外出中」、ステップＳ１０７でＹＥＳ）、ＣＰＵ２０は、図４の関係を参照して、蓄電装置３００Ｂに充電を促すためのメッセージの送信先とする通信装置５００Ｂを決定する（ステップＳ１０９）。そして、ＣＰＵ２０は、上記メッセージを通信装置５００Ｂに送信する（ステップＳ１１７）。
【００５７】
好ましくは、制御装置１００から蓄電装置３００Ａの蓄電量の通知を受け取っている場合（ステップＳ１１１でＹＥＳ）、ＣＰＵ２０は、メモリ２４に記憶している複数のメッセージの中から、蓄電装置３００Ａの蓄電量に基づいてメッセージを決定する（ステップＳ１１５）。なお、さらに電気機器４００それぞれの予定消費電力量を取得している場合、ＣＰＵ２０は、さらに電気機器４００それぞれの予定消費電力量に基づいてメッセージを決定してもよい。その他、ＣＰＵ２０は、上記ステップＳ１０５で送信した気象情報に基づいてメッセージを決定してもよい。
【００５８】
＜実施の形態の効果＞
第１の実施の形態にかかる制御システムが以上のように動作することで、本制御システムに移動可能な蓄電池を含む蓄電装置３００Ｂが含まれており、充電の必要ある気象情報がサーバ２００から配信されたタイミングで当該蓄電装置３００Ｂが移動体に搭載されるなどして制御装置１００と通信可能な範囲にない場合に、蓄電装置３００Ｂ近傍のユーザに対して蓄電装置３００Ｂへの充電が促される。これによって、停電の可能性の高いタイミングにより多くの電力を確保することが可能になる。
【００５９】
［第２の実施の形態］
第１の実施の形態にかかる制御システムでは、制御装置１００から判断結果の通知を受け付けたサーバ２００によって通信装置５００Ｂへのメッセージの送信が行なわれている。しかしながら、メッセージの送信主体はサーバ２００に限定されない。第２の実施の形態として制御装置１００がメッセージを送信してもよい。
【００６０】
第２の実施の形態では、制御装置１００のメモリ１３に図４の関係が記憶されている。そして、第２の実施の形態にかかる制御装置１００のＣＰＵ１０は、サーバ２００から気象情報を受信し、蓄電装置３００Ｂが通信可能な範囲にないと判断すると、図４の関係を参照してメッセージの送信先である通信装置５００Ｂを決定する。第２の実施の形態にかかる制御装置１００は、通信装置５００Ｂにメッセージを送信する。第２の実施の形態にかかる制御装置１００は、第１の実施の形態にかかるサーバ２００と同様に、記憶している複数のメッセージの中から、受信した気象情報や、蓄電装置３００Ａの蓄電量や、電気機器４００それぞれの予定消費電力量などに基づいて送信するメッセージを決定してもよい。
【００６１】
第２の実施の形態にかかる制御システムでも、充電の必要ある気象情報がサーバ２００から配信されたタイミングで当該蓄電装置３００Ｂが移動体に搭載されるなどして制御装置１００と通信可能な範囲にない場合に、蓄電装置３００Ｂ近傍のユーザに対して蓄電装置３００Ｂへの充電が促される。これによって、停電の可能性の高いタイミングにより多くの電力を確保することが可能になる。
【００６２】
［第３の実施の形態］
開示された特徴は、１つ以上のモジュールによって実現される。たとえば、当該特徴は、回路素子その他のハードウェアモジュールによって、当該特徴を実現する処理を規定したソフトウェアモジュールによって、または、ハードウェアモジュールとソフトウェアモジュールとの組み合わせによって実現され得る。
【００６３】
上述の動作を制御装置１００やサーバ２００に実行させるための、１つ以上のソフトウェアモジュールの組み合わせであるプログラムとして提供することもできる。このようなプログラムは、コンピュータに付属するフレキシブルディスク、ＣＤ−ＲＯＭ（Compact  Disk-Read  Only  Memory）、ＲＯＭ、ＲＡＭおよびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【００６４】
なお、本開示にかかるプログラムは、コンピュータのオペレーティングシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本開示にかかるプログラムに含まれ得る。
【００６５】
また、本開示にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本開示にかかるプログラムに含まれ得る。
【００６６】
提供されるプログラム製品は、ハードディスクなどのプログラム格納部にインストールされて実行される。なお、プログラム製品は、プログラム自体と、プログラムが記録された記録媒体とを含む。
【００６７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００６８】
１０，２０  ＣＰＵ、１１，２１  ＲＯＭ、１２，２２  ＲＡＭ、１３，２４  メモリ、１５  操作部、１６，２５  通信部、１００  制御装置、２００，２００Ａ，２００Ｂ  サーバ、２０１  気象情報送信部、２０２  取得部、２０３  送信先決定部、２０４  メッセージ送信部、２０５  メッセージ決定部、２０６  判断部、２４１  気象情報記憶部、２４２  送信先記憶部、２４３  メッセージ記憶部、３００Ａ，３００Ｂ，Ｂ  蓄電装置、４００  電気機器、４００Ａ  エアコン、４００Ｂ  給湯器、５００Ａ  端末装置、５００Ｂ  通信装置。
【図１】
0006486204.tif 000002
【図２】
0006486204.tif 000003
【図３】
0006486204.tif 000004
【図４】
0006486204.tif 000005
【図５】
0006486204.tif 000006
【図６】
0006486204.tif 000007
【図７】
0006486204.tif 000008
【図８】
0006486204.tif 000009